(57)【特許請求の範囲】
【請求項１】
サージアレスターにして、同軸で配置された複数のバルブユニット（１０）を含む細長いポスト（２０，２１）を有し、各バルブユニット（１０）は、複数のバリスターブロックのスタックで構成され、該バリスターブロックは、２つの端部電極（１１，１２）の間でその軸方向に前後に並べられ、かつ細長い電気絶縁外殻（１３）により包囲されており、さらに高電圧側に接続される上端アマチュア（１４）と、接地接続される下端アマチュア（１５）を有するサージアレスターにおいて、
前記ポスト（２０，２１）は、上部ポスト部分（２０）と下部ポスト部分（２１）で構成され、これらは、互いにモーメント規制関節部材で結合され、これによりサージアレスターに物理的応力が印加された際に前記ポスト部分（２０，２１）は、互いに相対的に遥動可能であること、および
前記モーメント規制関節部材（２２）は、前記上部ポスト部分（２０）の下端部分に固定された上部ベアリングプレート（２４）と、前記下部ポスト部分（２１）の上端部分に固定された下部ベアリングプレート（２５）とで構成されていることを特徴とするサージアレスター。
【請求項２】
請求項１に記載のサージアレスターにおいて、前記上部ベアリングプレート（２４）は、前記下部ベアリングプレート（２５）の凸状スライド面に接触する凹状スライド面を有し、前記上部ベアリングプレート（２４）は、モーメントを伝達する前記絶縁リンク（２８）を介して前記サージアレスターの前記下端アマチュア（１５）に接続されていることを特徴とするサージアレスター。
【請求項３】
請求項２に記載のサージアレスターにおいて、前記モーメント規制関節部材は、前記下部ポスト部分（２１）の固定のために前記下部ポスト部分（２１）を位置付けるスプリングシステムを有することを特徴とするサージアレスター。
【請求項４】
請求項３に記載のサージアレスターにおいて、前記スプリングシステムは、前記上部ベアリングプレート（２４）の周辺に固定され、前記下部ベアリングプレート（２５）の周面上を下方に延在していることを特徴とするサージアレスター。
【請求項５】
請求項２から４までのいずれか一項に記載のサージアレスターにおいて、前記上部ベアリングプレート（２４）は、シールドリング（２６）を担持し、前記絶縁リンクは、該シールドリング（２６）と前記サージアレスターの下端アマチュア（１５）との間に延在していることを特徴とするサージアレスター。
【請求項６】
請求項２から５までのいずれか一項に記載のサージアレスターにおいて、前記絶縁リンク（２８）は、高分子材料の懸架絶縁体であることを特徴とするサージアレスター。
【請求項７】
請求項２から６までのいずれか一項に記載のサージアレスターにおいて、前記絶縁リンク（２８）は、張力のプレストレスがかけられていることを特徴とするサージアレスター。
【請求項８】
請求項７に記載のサージアレスターにおいて、前記各絶縁リンク（２８）は、直列に張力スプリングに接続されていることを特徴とするサージアレスター。
【請求項９】
請求項１から８までのいずれか一項に記載のサージアレスターにおいて、前記バルブユニット（１０）のハウジング（１３）は、ゴム製あるいはゴム以外の高分子材料製であることを特徴とするサージアレスター。
【発明の詳細な説明】
技術分野
複数の円筒状バリスターブロックを両端電極の間に同軸で軸方向に前後に並べ、これらを細長い電気絶縁外殻で覆ったスタックとし、このスタックで構成されるバルブユニットをある数同軸に並べた細長い柱からなるサージアレスターに関する。
本発明は、第１に例えば４００ｋＶ以上である比較的高いシステム電圧用のサージアレスターを意図するものであるが、電圧の低いサージアレスターにも有用である。
発明の背景
上述の程度の比較的高い電圧用のサージアレスターは、風圧や地震などによる物理的ストレスが加えられる。
既知の設計では、電圧が高いシステム電圧用のサージアレスターの下部は、３本の垂直方向に並べた碍子ポストで構成され、これら碍子ポストは、正三角形断面形状となるように、その底部が接地用の金属スタンドに取り付けられている。この下部により中心にある上部碍子ポストが支持され、この上部碍子ポストの頂部に高電圧側に接続されたアマチュアが設けられている。各碍子ポストは、陶磁製中空碍子を複数同軸に並べて構成されたものである。上部碍子ポストならびに下部の碍子ポストの一つは、バリスターブロックで構成されており、下部の碍子ポストの残りの２つは、空とされ、唯一の機械的な機能を有するのみである。このようなアレスタのシステム電圧が１６００ｋＶの設計のものがAsea  Journalの1977年度版の第１巻の第１９頁に図示されている。この設計のものは、大変コストのかかるものであり、さらには、バルブユニットの外殻を陶磁製とせずに高分子材料製とすると、特殊な手段を用いないと実用とならない。なぜなら、これらの材料は、まったく異なる物理的性質を有しているからである。
発明の要約
本発明の目的は、上述の分野の用途に具するサージアレスターを提供するものであり、従来の設計のものに比べてかなり低価格で、かつ地震時のような外界から作用で生ずる物理的ストレスに対してかなり高い抵抗を示すものである。すなわち、これらの目的は、本発明によれば、請求項１に記載の特長事項を有する設計により達成できるものである。
本発明によれば、サージアレスターのスタックが、上部と下部のポスト部分に機械的に分けられて、これら二つのポスト部分は、モーメント規制関節部材を介して互いに結合されている。関節部材は、上部ベアリングプレートと、上部ベアリングプレートに設けた凹状スライド面に凸状スライド面が接触する下部ベアリングプレートとを有する。上部ベアリングプレートは、張力でプレストレスを印加された絶縁リンクを介してアレスターの接地スタンドに接続されている。関節部材は、下部ポスト部分を固定するためのスプリングシステムを含み、二つのベアリングプレートを（しかして関節部材で相互に接続された二つのポスト部分の端部を）横断方向で互いの相対的な定位置に正しく保持している。
ベアリングプレートのスライド面は、アレスターポストの振れの輪郭形状により決定する。このスライド面は、中心部に比較して周辺部でかなり角度が変化している（曲率半径が小さい）。このような設計では、絶縁リンクは、アレスターポストに相対的な大きな力を吸収し、この点に関しての差は、振れとともに増大する。これによりアレスターは、かなり高い静的ならびに動的の双方の負荷に耐えうるようになる。
【図面の簡単な説明】
本発明の添付図を参照して実施例の形で以下に詳細に説明する。
第１図は、本発明によるサージアレスターの一実施例を示す側面図である。
第２図は、第１図に示すサージアレスターを構成部品であるモーメント規制関節部材を示す軸方向断面図である。
発明の詳細な説明
第１図に示すサージアレスターは、５５０Ｋｖのシステム電圧用のものであり、高さが５ｍである。アレスターは、細長いポスト形状であり、１２個のバルブユニット１０を軸方向に並べて構成される。各バルブユニット１０は、例えば、スウェーデン特許出願9402745-5に開示されているように、二つの端部電極１１，１２の間にバリスターブロックを軸方向に前後に並べておいて、これらを電気絶縁性の外殻で覆ったスタックである。アレスターは、高電圧側に接続される上端アマチュア１４と、接地導体用の端子１６を設けた下端アマチュア１５で構成される。上端アマチュア１４は、３個のシールドリング１７、１８、１９を支持している。
アレスターは、機械的に、4個の上方バルブユニットで構成される上部ポスト部分２０と、８個の下方バルブユニットで構成される下部ポスト部分２１とに機械的に分けられる。2つのポスト部分２０、２１は、関節部材２２を介して互いに接続されている。取付け上の問題から、下部ポスト部分２１は、それぞれ4個のバルブユニット１０構成で互いに中間フランジ23を介して固定された２つの装着体を有するものである。
関節部材２２（第２図参照）は、上部ポスト部分２０の下端部分に固定された上部ベアリングプレート２４と、下部ポスト部分２１の上端部分に固定された下部ベアリングプレート２５とで構成される。上部ベアリングプレート２４は、下部ベアリングプレート２５の凸状スライド面に接触する凹状スライド面を有している。スライド面の幾何学形状（スライド面の中心から周辺に向かう方向の曲率半径の変化）は、ポスト部分の振れの輪郭形状により決定される。
上部ベアリングプレート２４は、シールドリング２６を支持し、すなわち、上部ベアリングプレート２４の周辺に角度的に等間隔で固定された３本の支持棒２７によりシールドリング２６が上部ベアリングプレート２４に固定されている。シールドリング２６の支持棒２７の取付け点からは、張力でプレストレスされた３本の電気絶縁リンク２８が延びている。これらリンク２８の下部がアレスタの下端アマチュアに固定されている。図示の例では、リンク２８は、高分子材料製の垂下絶縁体である。
上部ポスト部分の上端を下部ポスト部分に対して正しい位置に保持するために関節部材２２は、スプリングシステムを有している。このスプリングシステムは、上部ベアリングプレートの周辺に固定され、下部ベアリングプレート２５の周辺部上にまで下方に延びる複数のリーフスプリング２９で構成されている。このリーフスプリング２９は、ばね鋼の帯板製とし、下部ポスト部分を固定する性能を有するものとする。またリーフスプリング２９は、装着ボルト３０で、上部ベアリングプレートに締め付けられている。
二つのベアリングプレートスライド面の一つは、例えば、ポリテトラフルオロエチレンで摩擦低減コーティングを行なってもよい。
上部と下部のポスト部分の電気的接続は、関節部材２２に橋渡した可とう性の導電線により行なわれる。
本発明は、図示の実施例にのみ限定されず、請求の範囲内でさまざまに変更可能である。例えば、絶縁リンク２８は、別の張力スプリングを介して下部アマチュア２５に接続し、所望のプレストレス張力をかけるようにしてもよい。
【図１】
0004091116.tif 000002
【図２】
0004091116.tif 000003